(57)【要約】      （修正有）【課題】簡素な構造で効果的に拡声効果が得られる携帯端末拡声用載置台を提供する。【解決手段】表面に発音部４１が形成されているスマートフォン４０が載置される本体部材２と、本体部材２の端部に取り付けられたスピーカー部材３と、を備え、スピーカー部材３は、開口部３３を有する有底円筒形状をなし、底部３２近傍の側周面３１には孔部が設けられており、本体部材２の端部にはスピーカー部材３の孔部に挿入される筒形状の接続凸部２２が設けられており、接続凸部２２がスピーカー部材３の孔部に挿入された状態で接続凸部２２における筒孔の一端がスピーカー部材３内で開口しており、本体部材２にスマートフォン４０が載置された状態で、発音部４１が接続凸部２２の筒孔の他端近傍に配置されて、スマートフォン４０の発音部４１より音声が発せられた際には、スピーカー部材３の開口部３３から拡声された音声が発せられる携帯端末拡声用載置台１を提供する。【選択図】図１
0003209632.tif 000002
【実用新案登録請求の範囲】
【請求項１】
表面に発音部が形成されている携帯端末が載置される本体部材と、前記本体部材の端部に取り付けられたスピーカー部材と、を備えた携帯端末拡声用載置台であって、
前記スピーカー部材は、開口部を有する有底円筒形状をなし、底部近傍の側周面には孔部が設けられており、
前記本体部材の前記端部には前記スピーカー部材の孔部に挿入される筒形状の接続凸部が設けられており、前記接続凸部が前記スピーカー部材の孔部に挿入された状態で前記接続凸部における筒孔の一端が前記スピーカー部材内で開口しており、
前記本体部材に前記携帯端末が載置された状態で、前記発音部が前記接続凸部の筒孔の他端近傍に配置されて、前記携帯端末の発音部より音声が発せられた際には、前記スピーカー部材の開口部から拡声された音声が発せられる
ことを特徴とする携帯端末拡声用載置台。
【請求項２】
前記本体部材は、下部材と、前記下部材に対して上下方向に移動自在な上部材と、を具備し、
前記下部材は、板状の基板部と、前記基板部から上側に向かって突出する立て掛け部と、を備え、
前記上部材は、板状の背部と、前記背部の端部に形成される前記接続凸部と、を備え、
前記立て掛け部に前記背部が取り付けられ、
前記基板部と前記背部とが前記携帯端末を支持する
請求項１に記載の携帯端末拡声用載置台。
【請求項３】
前記スピーカー部材は、側周部が底部から離れるに従って拡径するテーパー形状をなしている
請求項１又は請求項２に記載の携帯端末拡声用載置台。
【請求項４】
前記本体部材及び前記スピーカー部材は紙製である
請求項１乃至請求項３のいずれか１項に記載の携帯端末拡声用載置台。
【請求項５】
請求項１乃至請求項４のいずれか１項に記載の携帯端末拡声用載置台にあって、
前記本体部材と、前記スピーカー部材とは互いに脱着可能に接続されており、
前記本体部材から前記スピーカー部材が脱離した状態で、前記スピーカー部材の内部に、前記本体部材が収納され、前記スピーカー部材の開口部には蓋体が装着されている
ことを特徴とする携帯端末拡声用載置台セット。 
【考案の詳細な説明】
【技術分野】
【０００１】
本考案は、携帯端末を載置できる携帯端末拡声用載置台、及び携帯端末拡声用載置台セットに関する。
【背景技術】
【０００２】
従来、携帯電話、スマートフォン、あるいは携帯音楽端末等の携帯端末から発せられる音声を拡声することができる載置台は、例えば特許文献１や特許文献２等に開示されている。
【０００３】
特許文献１に開示されている携帯端末用スタンドは、略ホーン形状の外筒内に内壁を備えた二重壁構造であり、携帯端末を差し込むための差込口と、携帯端末のスピーカー部を内筒内に露出させる露出口とを備えている。
【０００４】
特許文献２に開示されている携帯機器用拡声具は、胴部と底部を有し、該底部と対向する側が開口部である有底筒状に形成され、胴部及び／又は底部に、携帯機器を挿着するための挿入口が形成されている。
【先行技術文献】
【特許文献】
【０００５】
【特許文献１】実用新案登録第３１８７５４９号公報
【特許文献２】実用新案登録第３１８７５５９号公報
【考案の概要】
【考案が解決しようとする課題】
【０００６】
しかしながら、上記の従来構成は、簡便に組み立てたりコンパクトに収納したりすることが難しく、さらにデザイン性についても改善の余地があった。
【０００７】
そこで本考案は、簡素な構造で効果的に拡声効果が得られる携帯端末拡声用載置台、及び簡便に組み立てたりコンパクトに収納したりすることができる携帯端末拡声用載置台セットを提供することを目的とする。
【課題を解決するための手段】
【０００８】
本考案は、表面に発音部が形成されている携帯端末が載置される本体部材と、前記本体部材の端部に取り付けられたスピーカー部材と、を備えた携帯端末拡声用載置台であって、前記スピーカー部材は、開口部を有する有底円筒形状をなし、底部近傍の側周面には孔部が設けられており、前記本体部材の前記端部には前記スピーカー部材の孔部に挿入される筒形状の接続凸部が設けられており、前記接続凸部が前記スピーカー部材の孔部に挿入された状態で前記接続凸部における筒孔の一端が前記スピーカー部材内で開口しており、前記本体部材に前記携帯端末が載置された状態で、前記発音部が前記接続凸部の筒孔の他端近傍に配置されて、前記携帯端末の発音部より音声が発せられた際には、前記スピーカー部材の開口部から拡声された音声が発せられることを特徴とする携帯端末拡声用載置台である。
【０００９】
かかる構成にあっては、簡素な構造で効果的に前記携帯端末の発音部から発せられた音声を拡声することができる。特に、前記携帯端末の発音部からの音声が、前記接続凸部を介して前記スピーカー部材に直接伝播するため、拡声効果を効果的に向上させることができる。
【００１０】
また、前記本体部材は、下部材と、前記下部材に対して上下方向に移動自在な上部材と、を具備し、前記下部材は、板状の基板部と、前記基板部から上側に向かって突出する立て掛け部と、を備え、前記上部材は、板状の背部と、前記背部の端部に形成される前記接続凸部と、を備え、前記立て掛け部に前記背部が取り付けられ、前記基板部と前記背部とが前記携帯端末を支持する構成が提案される。
【００１１】
かかる構成にあっては、下部材に対して上部材を上下動させることにより、下部材に対して接続凸部の高さ位置を調整することが可能となる。したがって、種々の大きさの携帯端末を載置した場合にも、各携帯端末の発音部の位置に合わせて接続凸部の高さ位置を定めることが可能となる。
【００１２】
前記スピーカー部材は、側周部が底部から離れるに従って拡径するテーパー形状をなしていることが望ましい。
【００１３】
かかる構成とすることにより、拡声効果が向上する。
【００１４】
また、前記本体部材及び前記スピーカー部材は紙製であることが好ましい。
【００１５】
かかる構成とすることにより、安価であり、ゴミ廃棄の点で望ましい。
【００１６】
また本考案は、前記携帯端末拡声用載置台にあって、前記本体部材と、前記スピーカー部材とは互いに脱着可能に接続されており、前記本体部材から前記スピーカー部材が脱離した状態で、前記スピーカー部材の内部に、前記本体部材が収納され、前記スピーカー部材の開口部には蓋体が装着されていることを特徴とする携帯端末拡声用載置台セットである。
【００１７】
かかる構成にあっては、前記携帯端末拡声用載置台をコンパクトにまとめることができ、携行が非常に容易となる。
【図面の簡単な説明】
【００１８】
【図１】携帯端末拡声用紙製載置台及び携帯端末の斜視図である。
【図２】（ａ），（ｂ）共に下部材の斜視図である。
【図３】（ａ），（ｂ），（ｃ）共に上部材の斜視図である。
【図４】スピーカー部材の斜視図である。
【図５】（ａ）は携帯端末拡声用紙製載置台の正面図であり、（ｂ）は携帯端末拡声用紙製載置台の背面図である。
【図６】（ａ）は相対的に小さい寸法の携帯端末を載置した本体部材の部分断面右側面図であり、（ｂ）は相対的に大きい寸法の携帯端末を載置した本体部材の右部分断面右側面図である。
【図７】携帯端末拡声用紙製載置台セットの正面図である。
【考案を実施するための形態】
【００１９】
以下に本考案を具体化した実施例を詳細に説明する。なお、本考案は、下記に示す実施例に限定されることはなく、適宜設計変更が可能である。また、下記実施例においては上下左右及び前後を、図１中の上下左右方向を各部材の上下左右方向とし、また図１中の手前側を前側とし、奥側を後側として説明する。
【００２０】
図１等に示すように、携帯端末拡声用紙製載置台１（以下単に載置台１という）は、厚紙を切折して組み立てられた本体部材２と、本体部材２の端部に取り付けられる厚紙製で紙コップ形状のスピーカー部材３と、を備えている。
【００２１】
本体部材２は、設置面に置かれる下部材１０と、下部材１０に対して上下方向に移動自在な上部材２０と、を具備している。
【００２２】
下部材１０は、図２に示すように、横長板形状の基板部１１と、基板部１１から上側に向かって後方傾斜して起立（突出）する板形状の立て掛け部１２と、を備えている。また、立て掛け部１２の上端から基板部１１の後縁部に向かって補強板部１３が形成されている。すなわち、下部材１０の側面視で、基板部１１と立て掛け部１２と補強板部１３とによって基板部１１を底辺とする三角形が形成されている。なお、補強板部１３の略中央上寄りには横長の貫通孔１４が設けられている。
【００２３】
また、下部材１０における立て掛け部１２の前側には、基板部１１から側面視三角形状の滑り止め部１５が立設されている。
【００２４】
上部材２０は、図３に示すように、横長板状の背部２１と、背部２１の右上端部に形成される四角筒形状の接続凸部２２と、を備えている。接続凸部２２は、背部２１から前側に向かって突出して形成された上壁部２３及び下壁部２４と、上壁部２３及び下壁部２４の先端縁同士を接続するように形成された前壁部２５と、前壁部２５の左端から背部２１側に向かって突出して形成された左壁部２６と、で構成されている。なお、上壁部２３における左壁部２６と背部２１との間には、左壁部２６から左方向に突出して延設された突出部２３ａが設けられている。また、下壁部２４における左壁部２６と背部２１との間には、左壁部２６から右方向に窪んだ形状の段部２４ａが形成されている。
【００２５】
また、上部材２０における背部２１の後側からは、舌片２７が下向きに突出して形成されている。舌片２７の左右幅は下部材１０の貫通孔１４の左右幅より若干短く設定され、舌片２７が貫通孔１４内に挿通自在とされている。
【００２６】
スピーカー部材３は、図４に示すように、有底円筒形状をなし、側周部３１が底部３２から離れるに従って拡径するテーパー形状をなしている。そして、スピーカー部材３の底部３２とは反対側に形成された開口部３３を介して、スピーカー部材３の内部と外部とが連通している。
【００２７】
また、底部３２近傍の側周部３１には、本体部材２の接続凸部２２が挿入可能となるように、接続凸部２２の形状に対応した四角形状の孔部３４が貫通状に設けられている。
【００２８】
これまでに述べた構成にあって、下部材１０と上部材２０は、下部材１０の貫通孔１４に上部材２０の舌片２７を挿通し、下部材１０の立て掛け部１２の前側に上部材２０の背部２１が当接するように配置されることで本体部材２とされる。また、上部材２０の接続凸部２２がスピーカー部材３の孔部３４に挿入されて、相互接続される。これにより、図５に示すように、載置台１の組み立てが完了する。
【００２９】
このようにして組み立てられた載置台１には、図１に示すように携帯端末であるスマートフォン４０が載置される。さらに詳述すると、スマートフォン４０が横向きに下部材１０の基板部１１上に配置されると共に、スマートフォン４０の背側が上部材２０の背部２１に当接し、かつ、スマートフォン４０のスピーカーが配置されている発音部４１近傍が、上部材２０の下壁部２４の段部２４ａ内に食い込むようにして配置されることによってスマートフォン４０の発音部４１が接続凸部２２内に配置される。このとき、基板部１１と背部２１とによってスマートフォン４０が支持されている。そして、スマートフォン４０の発音部４１から音声が発せられると、接続凸部２２を介してスピーカー３内の空気等に音声振動が伝達され、スピーカー３の開口部３３から拡声された音声が前方へ発せられる。
【００３０】
載置台１にスマートフォン４０を載置する際には、図６に示すように、下部材１０の貫通孔１４に上部材２０の舌片２７が挿通された状態で、下部材１０に対して上部材２０が上下方向に移動自在なため、載置台１を１個用意するだけで寸法の異なる種々のスマートフォンに適用することができる。
【００３１】
また、載置台１に載置されたスマートフォン４０は、下端を上部材２０の背部２１と下部材１０の滑り止め部１５によって挟まれることによって前側に向かって滑り落ちることを防止されている。
【００３２】
さらに、スマートフォン４０の発音部４１は、接続凸部２２の上壁部２３、下壁部２４、前壁部２５、及び左壁部２６に被覆されるため、音声振動がスピーカー部材３に向かい易くされている。
【００３３】
また、スマートフォン４０における表示画面４２は、本体部材２に横向きに載置されるため、表示画面４２に横長の画像が表示される際に縦向きに載置するものよりも大きく表示させることができる。
【００３４】
また、背部２１には広告等の意匠を施すことができる。
【００３５】
そして、例えば図７に示すように、スピーカー部材３の内部に本体部材２が収納され、さらにスピーカー部材３の開口部３３に蓋体３５が装着されて携帯端末拡声用紙製載置台セット５０とされてもよい。
【００３６】
かかる構成とすることにより、載置台セット５０はそのまま容易に携行可能であり、持ち運んだ先で組み立てて載置台１として利用することができる。
【００３７】
これまでに述べた載置台１の材料は、厚紙に限らず、紙製であればダンボール製等であってもよい。また、載置台１の材料は、プラスチック材料や木材等の自然素材で構成されてもよい。また、例えば載置台１を透明材料で構成することにより、趣向性に富んだ意外性のある意匠としてもよい。また、載置台１の各部の寸法形状は、本考案の要旨を妨げない範囲で適宜自由に設定可能である。また、立て掛け部１２や補強板部１３は、スマートフォン４０を載置した状態で載置台１が後転しないような構造であればよく、形状等は特に限定されない。滑り止め部１５も同様である。また、載置台セット５０はノベルティーグッズとして使用してもよい。また、載置台セット５０は、容器内に本体部材２以外にもお菓子等をあらかじめ収納したものであってもよい。
【符号の説明】
【００３８】
１          携帯端末拡声用紙製載置台（携帯端末拡声用載置台）
２          本体部材
３          スピーカー部材
１０        下部材
１１        基板部
１２        立て掛け部
１３        補強板部
１４        貫通孔
１５        滑り止め部
２０        上部材
２１        背部
２２        接続凸部
３１        側周面
３２        底部
３３        開口部
３４        孔部
３５        蓋体
４０        スマートフォン（携帯端末）
４１        発音部
５０        携帯端末拡声用紙製載置台セット（携帯端末拡声用載置台セット）
【図１】
0003209632.tif 000003
【図２】
0003209632.tif 000004
【図３】
0003209632.tif 000005
【図４】
0003209632.tif 000006
【図５】
0003209632.tif 000007
【図６】
0003209632.tif 000008
【図７】
0003209632.tif 000009